(57)【要約】【課題】本発明は、クリーナー用ディスクに可聴範囲外の低音と高音を記録した記録領域を有し、クリーニングとアンプ及びスピーカーのリフレッシュ動作を行うことを目的とする。【解決手段】本発明によるレンズクリーナー用ディスクは、クリーナー用ディスク(1)に、レンズをクリーニングするための貫通孔(10)と、アンプ及びスピーカーをリフレッシュさせる低音と高音を発生させるための記録領域(30)とを有する構成である。【選択図】        図１
2004199788.tif 000002
【特許請求の範囲】
【請求項１】
コンパクトディスクと同一形状のクリーナー用ディスク(1)と、前記クリーナー用ディスク(1)に形成された貫通孔(10)と、前記貫通孔(10)に形成されたテーパ面(10a)と、前記クリーナー用ディスク(1)に記録され可聴範囲外の周波数の低音及び高音の記録領域(30)とを備え、
前記コンパクトディスクを駆動するディスク装置に前記クリーナー用ディスク(1)を装填して回転することにより、前記貫通孔(10)を介して送られるエアによって、前記ディスク装置の光ピックアップのレンズの清掃が行われ、前記低音及び高音が前記ディスク装置に接続されたアンプ及びスピーカーに印加されるように構成したことを特徴とするレンズクリーナー用ディスク。
【発明の詳細な説明】
【０００１】
【発明の属する技術分野】
本発明は、レンズクリーナー用ディスクに関し、特に、コンパクトディスクと同一形状のクリーナー用ディスクに、空気流を発生させるための貫通孔と、記録された可聴範囲外の周波数の低音及び高音の記録領域とを有し、クリーニング機能と、アンプ及びスピーカーのサージング（リフレッシュ）機能とを持たせるための新規な改良に関する。
【０００２】
【従来の技術】
従来、この種のレンズクリーナー用ディスクとしては、例えば、図１から図３で示す構成が用いられていた（例えば、特許文献１参照）。
すなわち、図２において符号１で示されるものは、例えば、市販のＣＤ、ＭＤ、ＣＤ−Ｒ、ＤＶＤ等のディスクの何れかと同一形状に形成されたクリーナー用ディスクであり、このクリーナー用ディスク１は図示しない市販の音楽用、映像用、コンピユータ用等のディスク装置に挿入して着脱自在に構成されていると共に、少なくとも再生又は読み出し可能で、情報の読み書き自在な録再自在な構成の場合もある。
【０００３】
前記クリーナー用ディスク１には、半径方向の周縁側に単独又は複数の貫通孔１０が形成され、この各貫通孔１０は互いに１対の場合は１８０度異なる位置に形成されている。この各貫通孔１０は図３で示されるように構成されている。すなわち、貫通孔１０の内部の側壁はテーパ面１０ａが形成され、この貫通孔１０の対向位置（図では下方）にはレンズ４を有する光ピックアップ３が前記再生機のユニット２０に設けられている。なお、この貫通孔１０は、ディスク１の半径方向線上に位置するように構成されている。
【０００４】
前記貫通孔１０のレンズ４側の第１開口１０Ａの第１直径Ｄ１よりも反対側の第２開口１０Ｂの第２直径Ｄ２の方が大となり、この貫通孔１０はレンズ４側へ向けて細穴となるように漏斗状に形成されている。なお、この図３の状態ではクリーナー用ディスク１の下方に光ピックアップ３が配設されている場合を示しているが、このように水平状にディスク１をディスク装置に挿入する構成だけでなく、垂直にディスク１を挿入する構成も採用されている。
前記貫通孔１０の第２開口１０Ｂの縁部には半円筒形又は塀状をなしわずかな高さ（ディスクの挿入・取出しに障害とならない程度）の突起物２１が貫通孔１０の軸方向に沿って形成されている。
【０００５】
次に、動作について述べる。まず、音楽、映像、コンピユータ用等のディスク装置（図示せず）に、通常使用する各種ディスクの代わりにクリーナー用ディスク１を挿入すると、このクリーナー用ディスク１が高速回転するため、図３及び図４で示されるように、発生した空気流３０が直接又は突起物２１に当たって貫通孔１０内へ流れ、光ピックアップ３のレンズ４に当たり、レンズ４上のチリ等がこのレンズ４から吹き飛ばされて除去される。このクリーナー用ディスク１は高速回転しているため、図３及び図４のようにレンズ４に当たる空気流３０は連続して発生される。
なお、実験の結果、突起物２１がない場合でもクリーニング効果が十分に得られ、市販されていると共に、突起物２１を用いた場合は、さらに効果的であった。
また、貫通孔開口部形状は円形以外の方形等でも効果的である。さらに貫通孔１０の数は、２個に限ることなく、２個以上の場合も可能である。
【０００６】
【特許文献１】
特開２０００−２１５４８８号公報
【０００７】
【発明が解決しようとする課題】
従来のレンズクリーナー用ディスクは、以上のように構成されていたため、次のような課題が存在していた。
すなわち、光ピックアップのレンズのクリーニング機能は十分にできるが、この機能以外には持たせることができなかった。
【０００８】
本発明は、以上のような課題を解決するためになされたもので、特に、コンパクトディスクと同一形状のクリーナー用ディスクに、空気流を発生させるための貫通孔と、記録された可聴範囲外の周波数の低音及び高音の記録領域とを有し、クリーニング（リフレッシュ）機能とを持たせるようにしたレンズクリーナー用ディスクを提供することを目的とする。
【０００９】
【課題を解決するための手段】
本発明によるレンズクリーナー用ディスクは、コンパクトディスクと同一形状のクリーナー用ディスクと、前記クリーナー用ディスクに形成された貫通孔と、前記貫通孔に形成されたテーパ面と、前記クリーナー用ディスクに記録され可聴範囲外の周波数の低音及び高音の記録領域とを備え、前記コンパクトディスクを駆動するディスク装置に前記クリーナー用ディスクを装填して回転することにより、前記貫通孔を介して送られるエアによって、前記ディスク装置の光ピックアップのレンズの清掃が行われ、前記低音及び高音が前記ディスク装置に接続されたアンプ及びスピーカーに印加される構成である。
【００１０】
【発明の実施の形態】
以下、図面と共に本発明によるレンズクリーナー用ディスクの好適な実施の形態について説明する。
尚、図２から図４で示す従来構成は本発明のレンズクリーナー用ディスクと同一であるため、援用するものとし、同一部分には同一符号を付して説明する。
図１において符号１で示されるものは、市販のＣＤ、ＭＤ、ＣＤ−Ｒ、ＤＶＤ等のディスクと同一形状のクリーナー用ディスクであり、このクリーナー用ディスク１は各種ディスク装置（図示せず）に挿入して着脱自在に構成されていると共に、少なくとも再生又は読み出し可能で、情報の読み書き自在な録再自在な構成の場合もある。
【００１１】
前記クリーナー用ディスク１には、半径方向の周縁側に単独又は複数の貫通孔１０が形成され、各貫通孔１０は１対の場合には互いに１８０度異なる位置に形成されている。
また、この各貫通孔１０の縁には、突起物２１が形成され、この突起物２１は用いないで使用される場合が多い。
【００１２】
次に、前記クリーナー用ディスク１の前記各貫通孔１０の内側に位置して記録領域３０が形成されている。
前記記録領域３０には、人間の可聴範囲外の周波数の低音（約４０Ｈｚ以下）と高音（約１８０００Ｈｚ以上）すなわち、ワープルトーンと呼称される帯域が記録されている。
【００１３】
次に、前述のように構成されたクリーナー用ディスク１を、ＣＤ、ＤＶＤ、ＣＤ−Ｒ等のディスクを再生又は録音再生できるディスク装置（図示せず）に装填すると、このクリーナー用ディスク１が高速回転し、各貫通孔１０を介して空気が光ピックアップのレンズに当たり、レンズの清掃が前述の従来構成と同様に行われる。
【００１４】
さらに、前述のクリーニング動作と同時に、前記記録領域３０に記録された前述の低音と高音が再生されてディスク装置に接続された図示しないアンプを経て増幅され、スピーカーに印加される。
前記低音と高音がアンプに印加されることにより、アンプにサージングと云う刺激を与えることができ、一種のリフレッシュ動作をこのアンプ回路に行うことができる。
【００１５】
また、この低音と高音が前記アンプを介して増幅された後に、スピーカーに印加されてスピーカーが駆動されることにより、スピーカーのサージングすなわちリフレッシュ動作が行われる。
【００１６】
前述のアンプ及びスピーカーに対するサージング動作は、前述のクリーニング動作と同時進行で行われ、クリーナー用ディスクに対して２つの機能を付加することができ、レンズのメンテナンスとアンプ及びスピーカーのメンテナンスを同時に行うことができ、前記多機能のダブル効果によって音質及び画質の向上が得られる。
【００１７】
【発明の効果】
本発明によるレンズクリーナー用ディスクは、以上のように構成されているため、次のような効果を得ることができる。
すなわち、クリーナー用ディスクに、貫通孔を用いたレンズのクリーニング作用と、記録領域に機能された低音と高音の再生によるアンプ及びスピーカーをリフレッシュさせるサージング作用とを有しているため、１枚のディスクで２つの機能を達成することができる。
そのため、ディスク装置としては、１枚のディスクを用いることにより、レンズとアンプ及びスピーカーのリフレッシュにより、音質や画質を大幅に向上させることができる。
【図面の簡単な説明】
【図１】本発明によるレンズクリーナー用ディスクを示す平面図である。
【図２】従来のレンズクリーナー用ディスクを示す平面図である。
【図３】図２のＡ−Ａ’断面図である。
【図４】図３の空気流を示す断面構成図である。
【符号の説明】
１    クリーナー用ディスク
１０    貫通孔
１０ａ    テーパ面
３０    記録領域
【図１】
2004199788.tif 000003
【図２】
2004199788.tif 000004
【図３】
2004199788.tif 000005
【図４】
2004199788.tif 000006